(57)【要約】【課題】シャッタータイミングに依存せずに診断に有効な静止画を生成することを可能とし、また、好適な表示状態で表示することが可能な医用画像撮影システム及び医用画像撮影装置を提供する。【解決手段】撮影装置２は患者の過去レポート等から過去の画像に異常所見があるか否かを判定し、異常所見がある場合はその部位を撮影する際に動画撮影モードに切り替える。動画撮影モードでは、撮影装置２は撮影中の動画をメモリに記憶し、シャッタータイミングのフレームとその前後の所定期間のフレームをメモリから切り出して動画データを作成する。シャッター位置（静止画）等を動画情報タグとして動画データ内に埋め込む。ビューア装置５では、動画情報タグを参照して動画を静止画表示する。静止画位置は編集可能とする。またビューア装置５で記録された読影情報を画像データの画像レポートタグ等に記録する。【選択図】図１
2014233358.tif 000002
【特許請求の範囲】
【請求項１】
医用画像を撮影する撮影装置と、
前記撮影装置とネットワークを介して接続され、前記医用画像を保存するデータベースと、
前記撮影装置及び前記データベースと前記ネットワークを介して接続され、医用画像の保存及び読み出しを制御するサーバ装置と、
前記サーバ装置とネットワークを介して接続され、前記データベースに保存されている医用画像を前記サーバ装置を介して取得し、表示するビューア装置と、を備え、
前記ビューア装置は、前記サーバ装置から取得した医用画像に対する所見及び異常部位情報を含む診断結果情報を所定の記録先に記録する診断結果情報記録部を備え、
前記撮影装置は、前記サーバ装置を介して取得可能な前記診断結果情報または前記検査管理情報に応じて動画撮影モード及び静止画撮影モードの切替を可能とする撮影モード切替部を備えることを特徴とする医用画像撮影システム。
【請求項２】
前記診断結果情報記録部は、前記診断結果情報を医用画像の付帯情報として記録し、
前記撮影モード切替部は、前記データベースから撮影対象とする患者の医用画像を前記サーバ装置を介して取得し、取得した医用画像の付帯情報から前記診断結果情報を抽出して参照し、異常所見のある部位で撮影モードを前記動画撮影モードに切り替え可能とすることを特徴とする請求項１に記載の医用画像撮影システム。
【請求項３】
前記サーバ装置は、前記撮影装置で実施する検査の検査管理情報を保持する情報システムとネットワークを介して接続し、
前記撮影モード切替部は、前記サーバ装置を介して前記情報システムから検査管理情報を取得し、検査管理情報から検査の内容を読み込み、検査の内容が動画の撮影に適した検査である場合は、動画撮影モード及び静止画撮影モードの切替を可能とすることを特徴とする請求項１に記載の医用画像撮影システム。
【請求項４】
前記サーバ装置は、各患者の診断結果情報を管理するレポート装置とネットワークを介して接続し、
前記診断結果情報記録部は、前記診断結果情報を前記レポート装置または前記データベースに送信して保存し、
前記撮影モード切替部は、前記サーバ装置を介して前記レポート装置または前記データベースから撮影対象とする患者の診断結果情報を取得し、異常所見のある部位で撮影モードを前記動画撮影モードに切り替え可能とすることを特徴とする請求項１に記載の医用画像撮影システム。
【請求項５】
前記動画撮影モードにおいて前記撮影装置は、撮影中の動画データをメモリに一時的に保存し、操作者のシャッタータイミングにより決定される静止画フレーム位置を当該動画データの付帯情報として記憶するとともに、前記シャッタータイミングの前後の所定期間のフレームを前記メモリから抜き出して動画データファイルを生成し、前記データベースに送信して保存し、
前記ビューア装置は、前記動画データファイルの付帯情報を参照して静止画フレーム位置を取得し、静止画フレームを表示するとともに、動画データ全体における前記静止画フレーム位置を示すスケールを表示することを特徴とする請求項１〜請求項４のいずれかに記載の医用画像撮影システム。
【請求項６】
静止画としての医用画像及び動画として医用画像の双方を撮影可能な撮影部と、
ネットワークに接続されたサーバ装置を介して所定のデータベースに前記医用画像を送信し登録する医用画像登録部と、
前記サーバ装置に対して撮影対象とする患者の診断結果情報または撮影装置が行う検査の検査管理情報を要求し、取得する情報取得部と、
前記情報取得部により取得した診断結果情報または検査管理情報に応じて動画撮影モード及び静止画撮影モードの切替を可能とする撮影モード切替部と、
を備えることを特徴とする医用画像撮影装置。
【発明の詳細な説明】
【技術分野】
【０００１】
本発明は、医用画像撮影システム及び医用画像撮影装置に関し、詳細には、医用画像の撮影モードの設定及び表示に関する。
【背景技術】
【０００２】
医療機関では、Ｘ線透視撮影装置（Ｘ線ＴＶ装置ともいう）、超音波装置、内視鏡装置等といった医用画像データを生成する各種の医用画像撮影装置が用いられている。医用画像撮影装置で生成された医用画像データはデータベース化されて記憶装置に格納される。例えば、ＰＡＣＳ(Picture Archiving and Communication Systems）と呼ばれるシステムでは、各種の医用画像撮影装置からサーバが画像データを受信してデータベースに保存する。また、画像ビューア等のクライアント端末からの要求に応答して特定の医用画像データをデータベースから検索し、クライアント端末に転送し、モニタに表示する。
【０００３】
ＰＡＣＳは、医用画像診断の結果を保存するレポート装置を含む構成としたり、放射線管理システム（ＲＩＳ；Radiology Information System）や病院情報システム（ＨＩＳ；Hospital
Information System）等の各種情報システムと連携した構成とすることもできるようになっている。ＲＩＳとは、各種の医用画像撮影装置での検査受付情報を管理するコンピュータシステムであり、ＨＩＳとは、電子カルテ、入退院情報、及び会計情報等を含む様々な病院情報を管理するコンピュータシステムである。
【０００４】
ところで、Ｘ線透視撮影装置、超音波装置、内視鏡装置といった動画撮影が可能な医用画像撮影装置では、マルチフレーム形式で医用画像が撮影される。医用画像ビューアでは、このマルチフレーム形式の医用画像を用いて複数フレームの画像を連続的に表示させるいわゆるシネ表示が行われる。そして、特許文献１には、マルチフレーム画像からシングルフレーム画像を生成するいわゆるキャプチャ機能において、マルチフレーム画像の付帯情報（患者情報や検査管理情報）をシングルフレーム画像ファイルに継承する手法について記載されている。また、シングルフレーム画像の医用画像としての画質を元データの画質と同程度に維持する手法について記載されている。Ｘ線透視撮影装置では、操作者は画面に表示される透視画像（動画像）を見ながら操作者が決定するタイミングでシャッターボタンを押すことで静止画（一般撮影画像）を撮影する。この静止画を用いて医師等が読影を行う。
【先行技術文献】
【特許文献】
【０００５】
【特許文献１】特開２０１０−５１４７６号公報
【発明の概要】
【発明が解決しようとする課題】
【０００６】
しかしながら、上述の従来のキャプチャ機能を用いたり、Ｘ線透視撮影装置における一般撮影を行う場合、操作者のタイミングでシャッターが押下されるため、操作者の技量や被検者の状態によって必ずしも得たい位置で静止画を撮影できるとは限らない。特に、患者の過去の診断結果に異常所見がある場合には、異常所見のある部位で前回撮影時と同様の静止画を撮影する必要があるが、シャッタータイミングにズレが生じた場合は、無効な撮影となることがある。
【０００７】
本発明は、前述した問題点に鑑みてなされたものであり、その目的は、動画撮影が可能な医用画像撮影装置において、シャッタータイミングに依存せずに診断に有効な静止画を生成することが可能な医用画像撮影システム及び医用画像撮影装置を提供することである。
【課題を解決するための手段】
【０００８】
前述した目的を達成するために第１の発明は、医用画像を撮影する撮影装置と、前記撮影装置とネットワークを介して接続され、前記医用画像を保存するデータベースと、前記撮影装置及び前記データベースと前記ネットワークを介して接続され、医用画像の保存及び読み出しを制御するサーバ装置と、前記サーバ装置とネットワークを介して接続され、前記データベースに保存されている医用画像を前記サーバ装置を介して取得し、表示するビューア装置と、を備え、前記ビューア装置は、前記サーバ装置から取得した医用画像に対する所見及び異常部位情報を含む診断結果情報を所定の記録先に記録する診断結果情報記録部を備え、前記撮影装置は、前記サーバ装置を介して取得可能な前記診断結果情報または前記検査管理情報に応じて動画撮影モード及び静止画撮影モードの切替を可能とする撮影モード切替部を備えることを特徴とする医用画像撮影システムである。
【０００９】
第２の発明は、静止画としての医用画像及び動画として医用画像の双方を撮影可能な撮影部と、ネットワークに接続されたサーバ装置を介して所定のデータベースに前記医用画像を送信し登録する医用画像登録部と、前記サーバ装置に対して撮影対象とする患者の診断結果情報または撮影装置が行う検査の検査管理情報を要求し、取得するデータ取得部と、前記データ取得部により取得した診断結果情報または検査管理情報に応じて動画撮影モード及び静止画撮影モードの切替を可能とする撮影モード切替部と、を備えることを特徴とする医用画像撮影装置である。
【発明の効果】
【００１０】
本発明により、シャッタータイミングに依存せずに診断に有用な静止画を生成することが可能な医用画像撮影システム等を提供することができる。
【図面の簡単な説明】
【００１１】
【図１】第１の実施の形態の医用画像撮影システム１のシステム構成と、各装置の機能構成を示す図
【図２】コンピュータの内部構成を示す図
【図３】医用画像撮影システム１の撮影装置２及びサーバ装置３が実行する処理の流れを示すフローチャート
【図４】撮影装置２に表示される撮影者選択画面７１の一例
【図５】撮影装置２に表示される撮影設定画面７４の一例
【図６】医用画像撮影システム１のサーバ装置３及びビューア装置５が実行する処理の流れを示すフローチャート
【図７】ビューア装置５が実行する表示処理の流れを示すフローチャート
【図８】ビューア装置５が表示する画像表示画面５５の一例
【図９】第２の実施の形態の医用画像撮影システム１Ａのシステム構成と、各装置の機能構成を示す図
【図１０】医用画像撮影システム１Ａの撮影装置２、サーバ装置３、及び情報システム８（ＨＩＳ等）が実行する処理の流れを説明するフローチャート
【図１１】第３の実施の形態の医用画像撮影システム１Ｂのシステム構成と、各装置の機能構成を示す図
【図１２】医用画像撮影システム１Ｂの撮影装置２、及びサーバ装置３が実行する処理の手順を説明するフローチャート
【図１３】医用画像撮影システム１Ｂのサーバ装置３及びビューア装置５が実行する処理の手順を説明するフローチャート
【発明を実施するための形態】
【００１２】
以下図面に基づいて、本発明の実施形態を詳細に説明する。
【００１３】
［第１の実施の形態］
まず、本発明の第１の実施の形態の医用画像撮影システム１について説明する。
図１は、第１の実施の形態の医用画像撮影システム１の装置構成及び機能構成を説明するブロック図である。
【００１４】
医用画像撮影システム１は、被検体を撮影し、医用画像を生成する医用画像撮影装置２（以下、撮影装置２と呼ぶ）と、医用画像を永続的に保存するデータベース４と、撮影装置２及びデータベース４とネットワーク６を介して接続され、医用画像の保存及び読み出しを制御するサーバ装置３と、サーバ装置３とネットワーク６を介して接続され、データベース４に保存されている医用画像をサーバ装置３を介して取得し、表示するビューア装置５とを備えて構成される。
【００１５】
ネットワーク６は、例えば、医療施設内の専用の通信回線で接続されたＬＡＮ（Ｌｏｃａｌ  Ａｒｅａ  Ｎｅｔｗｏｒｋ）や、より広域に通信接続されたＷＡＮ（Ｗｉｄｅ  Ａｒｅａ  Ｎｅｔｗｏｒｋ）、またはインターネット等の公衆の通信回線を含む。ネットワーク６における通信接続は有線、無線を問わない。撮影装置２、サーバ装置３、データベース４、及びビューア装置５は、ネットワーク６を介して互いにデータを送受信する。
【００１６】
撮影装置２は、患者を撮影し、医用画像を生成する医用画像撮影装置である。なお、本発明の撮影装置２は、例えばＸ線透視撮影装置（Ｘ線ＴＶ装置）、超音波装置、内視鏡装置等の静止画の撮影と動画の撮影の両方が可能な医用画像撮影装置とする。
【００１７】
撮影装置２は、撮影部２１、データ取得部２２、撮影モード切替部２３、及び画像登録部２４を有する。
【００１８】
撮影部２１は、患者の撮影及び画像生成を行う装置群及び撮影を制御する制御部を含む。例えばＸ線透視撮影装置であれば、撮影部２１はＸ線発生装置、Ｘ線受像装置、Ｘ線画像を生成する画像処理装置、及び画像表示部等を含む装置群である。また超音波診断装置であれば、撮影部２１は、超音波信号を発生し、送受信する探触子、増幅回路、画像生成部等を含む装置群である。
【００１９】
Ｘ線透視撮影装置の場合、撮影部２１は、被検体に比較的低線量のＸ線を連続的に照射して動画像からなるＸ線画像（透視画像）を生成する透視機能と、シャッター操作により被検体に一瞬だけＸ線量の大きなＸ線を照射して静止画像からなるＸ線画像を生成する一般撮影機能とを有する。後述する動画撮影モードとはこの透視機能のことであり、静止画撮影モードとは一般撮影機能のことをいう。超音波診断装置や内視鏡装置等においても、撮影した画像を動画として保存したり、シャッターボタン等の押下により静止画として保存したりすることが可能である。
【００２０】
なお、本発明でいうところの動画には、所定の時間刻みに連続的に撮影した複数フレームの画像を１つの動画ファイルに保存したものと、１度のシャッター操作で静止画像を所定回数だけ連続撮影し、これらの静止画像群を１つのグループ画像として保存したものとを含む。
【００２１】
撮影部２１は、動画撮影モードにおいて、撮影中の動画のデータをメモリに一時的に保存する。また操作者によりシャッターボタンが押下されると、撮影部２１は、シャッタータイミングの前後の所定期間（数秒間程度）のフレームをメモリから抜き出して動画データファイルを生成するとともに、操作者のシャッタータイミングにより決定される静止画フレーム位置を当該動画データの付帯情報として記憶する。この静止画フレーム位置を示す付帯情報を、動画情報タグ４１ａと呼ぶ。画像をＤＩＣＯＭ画像として保存する場合は、動画情報タグ４１ａは、ＤＩＣＯＭプライベートタグとして設けることが望ましい。
【００２２】
動画撮影モードにおいて静止画は、動画とは別の画像データとして保存されるのではなく、動画内の１フレームとして記録される。静止画フレーム位置の情報が動画情報タグ４１ａとして動画の画像データ４１内に埋め込まれる。キャプチャ画像のように動画データファイルとは別の画像データとして保存する場合は動画データファイルに付加されていた情報が失われることがあったが、上述したように、動画の画像データ４１内に静止画フレーム位置等の情報を埋め込んで保存しておくことにより、動画に付加される付帯情報が損なわれずに、静止画を参照できるようになる。また、シャッタータイミングがズレてしまい、過去に異常所見が発見された部位と異なる位置で静止画が撮影されたとしても、医師等が読影する際に前後のフレームから正確な診断位置を探して有効な静止画位置に修正することもできる。また、静止画の読影と併せて動画に含まれる前後のフレームを読影することもでき、診断の情報量を増やすことができる。これにより、異常部位の経過観察に用いる画像を容易に撮影することが可能となり、また異常の見落としを防ぐことができる。
【００２３】
撮影部２１は、動画の画像データ４１の動画情報タグ４１ａに、動画の開始位置及び終了位置を記録する（例えば、開始位置「００秒００」、終了位置「０８秒００」）。
【００２４】
データ取得部２２は、患者の過去の診断結果情報を取得する。データ取得部２２は、ネットワーク６を介して通信接続されているサーバ装置３に対して、撮影対象とする患者の過去の診断結果情報の取得を要求し、診断結果情報を取得する。
【００２５】
第１の実施の形態の医用画像撮影システム１では、患者の過去の診断結果情報は、画像データ４１に付帯するタグ情報（画像レポートタグ４１ｂ）として格納される。データ取得部２２は撮影に先立ち、データベース４から撮影対象とする患者の過去の画像データ４１を取得し、取得した画像データ４１に付加されている画像レポートタグ４１ｂを抽出する。画像レポートタグ４１ｂとは、画像診断の結果（所見）や詳細部位情報等が記録された画像付帯情報である。
【００２６】
医用画像の代表的な規格としてはＤＩＣＯＭ（Digital Imaging and
COmmunication in Medicine）が知られている。ＤＩＣＯＭとは、医用画像のフォーマットと、医用画像を扱う機器（医用画像撮影装置、サーバ装置、ビューア装置等）間の通信プロトコルを定義した標準規格のことである。本発明の医用画像撮影システム１をＤＩＣＯＭに準拠する構成とする場合には、ＤＩＣＯＭプライベートタグとして上述の画像レポートタグ４１ｂを設ければよい。また各種データの検索や応答には、ＤＩＣＯＭ  Ｑ／Ｒ（Query/Retrieve）を利用することができる。
【００２７】
撮影モード切替部２３は、データ取得部２２により取得した患者の過去の診断結果情報（画像レポートタグ４１ｂに格納された情報）を参照し、過去に異常所見がある患者を撮影する場合には、異常所見のある部位またはその周囲の部位を撮影する際に、撮影モードを「動画撮影モード」に切替える。
【００２８】
なお、動画撮影モードへの切り替えは、異常所見がある場合に必ず動画撮影モードへ切り替えるものとしてもよいし、動画撮影モードまたは静止画撮影モードのいずれかのモードの選択が可能な状態へ遷移し、操作者によるモード選択後に動画撮影モードへ切替えるようにしてもよい。
【００２９】
Ｘ線透視撮影装置を用いた検査では、８枚法や１２枚法等のように診断部位がほぼ決められている。過去の診断結果情報に異常所見があった部位を撮影する際は、撮影部２１は撮影前に「異常所見あり」等のアラートを撮影装置２の表示部に表示して注意を促し、動画撮影モードに切り替える。これにより、過去の診断に用いた画像と同一部位を含む画像を動画で撮影できる。
【００３０】
また、過去に異常所見がある場合には、撮影部２１は過去の診断結果情報から過去の画像の撮影条件（管電流等）を抽出し、同じ撮影条件を設定することが望ましい。撮影条件の変更は、動画撮影モードへの切り替え時に行うようにすればよい。過去の撮影と同一の撮影条件を容易に継承することにより、同様の画質の画像を用いて診断を行うことができる。
【００３１】
画像登録部２４は、撮影部２１により撮影され、生成された画像データ４１（動画データ及び一般撮影における静止画データを含む）をサーバ装置３へ送信し、データベース４への登録を依頼する。サーバ装置３は、撮影装置２から送信された画像をデータベース４の所定の記憶領域に保存する。画像データ４１のフォーマット及び通信プロトコルは、例えばＤＩＣＯＭ等の規格に従うことが望ましい。
【００３２】
サーバ装置３は、撮影装置２、データベース４、及びビューア装置５とネットワーク６を介して通信接続されたコンピュータであり、医用画像の保存及び読み出しを制御する画像登録・読出部３１を有する。
画像登録・読出部３１は撮影装置２から送信される画像登録要求に応答して、撮影装置２から送信された画像データ４１をデータベース４に保存する。また、画像登録・読出部３１は、ビューア装置５や撮影装置２からの画像取得要求に応答して、データベース４に保存されている画像データ４１を検索し、要求元の装置に送信する。
【００３３】
サーバ装置３は、例えば、ＰＡＣＳ（Picture  Archiving  and  Communication  Systems）のサーバ装置でもよいし、その他の形態の画像サーバとしてもよい。例えば、画像サーバの機能と読影機能とが１台のコンピュータに設けられた画像診断ワークステーション等でもよい。
【００３４】
データベース４は、医用画像データ（以下、画像データ４１と呼ぶ）を永続的に保管する記憶装置である。データベース４には、画像データ４１の他、患者情報やモダリティ情報等が記憶されている。
【００３５】
データベース４はサーバ装置３内の記憶装置としてもよいし、サーバ装置３、撮影装置２、ビューア装置５等にネットワーク６を介して通信接続された記憶装置としてもよい。また、医用画像撮影装置２及びサーバ装置３と同一施設内に配置されることを主な利用形態とするが、必ずしも同一施設内に配置されていなくてもよい。例えば、クラウドコンピューティングと呼ばれる仕組みを利用し、医用画像撮影装置２及びサーバ装置３からインターネット等を介してアクセス可能な記憶装置を含むものとしてもよい。
【００３６】
第１の実施の形態では、データベース４に記憶される画像データ４１には、画像レポートタグ４１ｂが付加されている。画像レポートタグ４１ｂには、当該画像の診断部位情報や所見等の診断結果情報が格納される。画像レポートタグ４１ｂは、ビューア装置５において当該画像の画像診断が行われた際に記録される。画像レポートタグ４１ｂは撮影装置２が撮影対象とする患者の撮影を行う際に、患者の過去の診断結果情報として参照される。
【００３７】
また、画像データ４１が動画である場合には、画像データ４１には更に動画情報タグ４１ａが付加されているものとする。動画情報タグ４１ａは、静止画フレーム位置、開始位置、終了位置等の情報を含む。動画情報タグ４１ａは撮影装置２が動画データファイル或いはグループ画像を生成する際に付加される。また、動画情報タグ４１ａは、ビューア装置５が画像データ４１を表示する際に参照される。
【００３８】
また、画像データ４１には、患者の識別情報（患者ＩＤ）や、当該医用画像を撮影した撮影装置２の識別情報（モダリティＩＤ）、検査の識別情報（検査ＩＤ）、画像の識別情報（画像ＩＤ）、検査日時情報等が付帯情報として付加されている。
【００３９】
ビューア装置５は、サーバ装置３に通信接続される１または複数のクライアント端末であり、サーバ装置３から出力される表示データを表示する。
ビューア装置５は、画像取得部５１、画像表示部５２、診断結果情報記録部５３を有する。
【００４０】
ビューア装置５の画像取得部５１は、データベース４に保存されている医用画像データ及びその他の情報をサーバ装置３を介して取得する。
画像表示部５２は、画像取得部５１が取得した医用画像データ等をモニタに表示する。動画を表示する際は、動画の付帯情報（動画情報タグ４１ａ）を参照して動画データ内の静止画フレーム位置を取得し、静止画フレームを表示する。また、画像表示部５２は、動画全体における静止画フレームの位置を示すスケール５９を表示する（図８参照）。本発明における医用画像の表示の仕方の詳細については後述する。
【００４１】
診断結果情報記録部５３は、サーバ装置３から取得した画像データ４１に対する所見及び診断部位情報を含む診断結果情報（レポート情報）を所定の記録先に記録する。第１の実施の形態では、画像データ４１に付加される画像レポートタグ４１ｂに診断結果情報を記録する。
【００４２】
図２に医用画像撮影システム１の撮影装置２、サーバ装置３、ビューア装置５の制御装置であるコンピュータの内部構成を示す。
図２に示すように、コンピュータは、制御部１０１、記憶部１０２、入力部１０３、表示部１０４、メディア入出力部１０５、通信Ｉ／Ｆ１０６、周辺機器Ｉ／Ｆ１０７等が、バス１０９を介して接続される。但し、図２の例は一般的な例であり、用途、目的に応じて様々な構成を採ることが可能である。
【００４３】
制御部１０１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成される。ＣＰＵは、記憶部１０２、ＲＯＭ、記録媒体等に格納されるプログラムをＲＡＭ上のワークメモリ領域に呼び出して実行し、バス１０９を介して接続された各装置を駆動制御する。ＲＯＭは、不揮発性メモリであり、コンピュータのブートプログラムやＢＩＯＳ等のプログラム、データ等を恒久的に保持している。ＲＡＭは、揮発性メモリであり、記憶部１０２、ＲＯＭ、記録媒体等からロードしたプログラム、データ等を一時的に保持するとともに、制御部１０１が各種処理を行う為に使用するワークメモリ領域を備える。
【００４４】
記憶部１０２は、例えばＨＤＤ（ハードディスクドライブ）であり、制御部１０１が実行するプログラム、プログラム実行に必要なデータ等が格納される。プログラムに関しては、ＯＳに相当する制御プログラムや、後述の各処理に相当する各アプリケーションプログラムが格納されている。これらの各プログラムコードは、制御部１０１により必要に応じて読み出されてＲＡＭに移され、ＣＰＵに読み出されて各種の手段として実行される。
【００４５】
入力部１０３は、データの入力を行い、例えば、キーボード、マウス等のポインティングデバイス、テンキー等の入力装置を有する。
表示部１０４は、液晶パネル等のディスプレイ装置、ディスプレイ装置と連携してコンピュータのビデオ機能を実現するための論理回路等（ビデオアダプタ等）を有する。
【００４６】
メディア入出力部１０５は、例えば、フロッピー（登録商標）ディスクドライブ、ＰＤドライブ、ＣＤドライブ、ＤＶＤドライブ、ＭＯドライブ等のメディア入出力装置であり、データの入出力を行う。
通信Ｉ／Ｆ（インタフェース）１０６は、通信制御装置、通信ポート等を有し、ネットワーク６の通信を媒介する通信インタフェースである。
【００４７】
周辺機器Ｉ／Ｆ１０７は、コンピュータに周辺機器を接続させるためのポートである。
バス１０９は、各装置間の制御信号、データ信号等の授受を媒介する経路である。
【００４８】
次に、図３〜図８を参照して、医用画像撮影システム１における処理の流れを説明する。
【００４９】
図３に示すように、まず、撮影装置２のデータ取得部２２は過去に撮影された撮影対象患者の画像をサーバ装置３に問い合わせる（ステップＳ１０１）。サーバ装置３はデータベース４に対して問い合わせのあった画像の送信を要求する（ステップＳ１０２）。データベース４は、サーバ装置３からの要求に応答して画像データ４１を読出し、サーバ装置３へ送信する（ステップＳ１０３）。サーバ装置３は、データベース４から送信された画像データ４１を受信し、要求元の撮影装置２へ送信する（ステップＳ１０４）。撮影装置２は、撮影対象の患者の過去の画像データ４１を受信する（ステップＳ１０５）。
【００５０】
データベース４から送信された画像データ４１には、画像レポートタグ４１ｂが付加されている。撮影装置２のデータ取得部２３は、ステップＳ１０５で受信した画像データ４１から画像レポートタグ４１ｂを読み込む（ステップＳ１０６）。ステップＳ１０６において、撮影装置２のデータ取得部２２は、読み込んだ画像レポートタグ４１ｂに記されている所見及び診断部位情報を取得する。
【００５１】
撮影装置２のデータ取得部２２は、ステップＳ１０６で読み込んだ所見及び診断部位情報に異常所見が含まれるか否かを判定する（ステップＳ１０７）。
【００５２】
ステップＳ１０７の判定において、異常所見が見つからなかった場合は（ステップＳ１０７；Ｎｏ）、撮影装置２の撮影モード切替部２３は、撮影装置２の撮影モードを静止画撮影モードに設定する（ステップＳ１０８）。静止画撮影モードでは、撮影部２１に設けられているシャッターボタン等を操作者が操作することによりシャッタータイミングの静止画を記録する。撮影された画像データには、患者ＩＤ、検査ＩＤ、モダリティＩＤ等の各種属性情報が付加される。撮影装置２の画像登録部２４は、画像データ４１をサーバ装置３に送信する（ステップＳ１０９）。サーバ装置３は撮影装置２から送信された画像データ４１をデータベース４に送信し、登録を要求する（ステップＳ１１０）。データベース４は画像データ４１を記憶する（ステップＳ１１１）。
【００５３】
ステップＳ１０７の判定において、異常所見が見つかった場合は（ステップＳ１０７；Ｙｅｓ）、撮影装置２のＣＰＵ１０１（データ取得部２２）は「異常所見あり」といった警告メッセージを撮影装置２の表示部に表示する（ステップＳ１１２）。
【００５４】
ステップＳ１１２における撮影装置２の表示画面例を図４に示す。図４は撮影者選択画面７１の一例である。
データ取得部２２は、ステップＳ１０６で取得した画像レポートタグ４１ｂの情報を表示する。複数の撮影対象患者について撮影設定を行う場合は、全ての患者についてサーバ装置３から画像データを取得し、画像レポートタグ４１ｂを参照して、図４に示すように所見情報を一覧表示する。図４のようにリスト７２に示されるいずれかの患者をマウス７３により指定することにより、撮影装置２のＣＰＵ１０１は、図５に示す撮影設定画面７４を表示する。
【００５５】
図５に示すように、撮影設定画面７４には、患者氏名及び過去の画像の診断結果情報（所見）がレポート表示欄７７に表示される。診断結果情報は画像データ４１の画像レポートタグ４１ｂに記録されている。また、画像データ４１の付帯情報から画像ＩＤや検査管理情報等の各種情報を抽出して表示するようにしてもよい。
【００５６】
また、患者の過去の診断結果情報に異常所見が含まれる場合には、撮影装置２の撮影モード切替部２３は、撮影モードを動画撮影モード（Ｘ線透視撮影装置であれば透視撮影モード）に切り替え可能な状態に変更する（ステップＳ１１３）。例えば、図５に示すように撮影設定画面７４に動画モードボタン７５及び静止画モードボタン７６を表示し、モード選択が可能な状態としてもよい。操作者のマウス操作等により動画モードボタン７５及び静止画モードボタン７６のいずれかが選択されると、撮影装置２のＣＰＵ１０１（撮影モード切替部２３）は選択された撮影モードに切り替える。また、撮影条件を異常所見のあった過去の画像の撮影条件と一致するように変更する。
【００５７】
なお、図５に示すような動画モードボタン７５及び静止画モードボタン７６の選択操作を経ずに、動画撮影モードへ変更されるようにしてもよい。
【００５８】
動画撮影モードにおいて、撮影部２１は撮影中の画像を撮影装置２のメモリに保存する（ステップＳ１１４）。そして、撮影部２１に設けられているシャッターボタンが操作者により操作されると（ステップＳ１１５）、撮影部２１は、シャッタータイミングに該当するフレーム位置とその前後の所定時間（数秒間）分のフレームをメモリから切り出し、動画データファイルを生成する（ステップＳ１１６）。更に、撮影部２１は、動画データの静止画フレーム位置（シャッタータイミングに該当するフレーム）と、切り出した動画の開始位置及び終了位置を画像データの動画情報タグ４１ａとして埋め込む（ステップＳ１１７）。この動画データにも、患者ＩＤ、検査ＩＤ、モダリティＩＤ等の各種属性情報が付加される。
【００５９】
撮影装置２の画像登録部２４は、生成された動画データファイル（動画情報タグを含む）をサーバ装置３に送信する（ステップＳ１０９）。サーバ装置３は撮影装置４から送信された動画データファイルをデータベース４に送信し、登録を要求する（ステップＳ１１０）。データベース４は動画データ（画像データ４１）を記憶する（ステップＳ１１１）。
【００６０】
次に、図６〜図８を参照して、ビューア装置５における表示処理について説明する。
ビューア装置５において、患者の画像をデータベース４から取得して表示する際、まず、ビューア装置５の画像取得部５１は、表示しようとする患者の画像をサーバ装置３に問い合わせる（ステップＳ２０１）。サーバ装置３はデータベース４に対して問い合わせのあった画像の送信を要求する（ステップＳ２０２）。データベース４は、サーバ装置３からの要求に応答して画像データ４１を読出し、サーバ装置３へ送信する（ステップＳ２０３）。サーバ装置３は、データベース４から送信された画像データ４１を受信し、要求元のビューア装置５へ送信する（ステップＳ２０４）。ビューア装置５は患者の画像データ４１を受信する（ステップＳ２０５）。
【００６１】
ビューア装置５の画像表示部５２は、ステップＳ２０５で受信した画像データ４１を表示する（ステップＳ２０６）。ステップＳ２０６の表示処理について、図７のフローチャートを参照して説明する。
【００６２】
図７のフローチャートにおいて、ビューア装置５の画像表示部５２は、サーバ装置３から受信した画像データの付帯情報を読み込む（ステップＳ３０１）。付帯情報には、画像ＩＤ、検査管理情報等の他、動画情報タグ４１ａ等の情報が含まれる。
【００６３】
画像表示部５２は、サーバ装置３から受信した画像データ４１のサムネイル画像を表示画面のサムネイル画像表示エリア５７に表示する（ステップＳ３０２）。
図８は、ビューア装置５の画像表示画面５５の一例である。
【００６４】
図８に示すように、ビューア装置５の画像表示画面５５には、画像表示エリア５６とサムネイル画像表示エリア５７が設けられる。サムネイル画像表示エリア５７には、サーバ装置３から取得した患者の画像のサムネイル画像５７ａ、５７ｂ、…が表示される。
【００６５】
サーバ装置３から受信した画像データ４１が動画である場合は、サムネイル画像として静止画フレーム位置の画像が表示される。ビューア装置５は、動画データの動画情報タグ４１ａを参照して、静止画フレーム位置を認識できる。
【００６６】
サムネイル画像表示エリア５７から操作者によりいずれかの画像が選択されると（ステップＳ３０３；Ｙｅｓ）、ビューア装置５の画像表示部５２は、選択された画像が動画であるか否かを判断する（ステップＳ３０４）。選択画像が動画ではない場合は（ステップＳ３０４；Ｎｏ）、選択画像（静止画）を画像表示エリア５６に表示する（ステップＳ３０５）。
【００６７】
選択画像が動画である場合は（ステップＳ３０４；Ｙｅｓ）、画像表示部５２は、動画情報タグ４１ａの静止画フレーム位置を読み込み（ステップＳ３０６）、静止画フレームを画像表示エリア５６に初期表示する（ステップＳ３０７）。また、ＣＰＵ１０１（画像表示部５２）は、静止画フレーム位置を示すスケール５９をモニタに表示する（ステップＳ３０８）。
【００６８】
図８にスケール５９の一例を示す。
スケール５９には、動画の開始位置を示すマーク５９ａ、終了位置を示すマーク５９ｂ、及び静止画フレーム位置を示すマーク５９ｃが表示される。各マーク５９ａ、５９ｂ、５９ｃの位置はマウス等の操作により変更可能である。
【００６９】
画像表示画面５５の画像表示エリア５６に表示される画像が動画の場合、画像表示部５２は、動画の再生を指示する再生ボタン６０と、動画再生を停止する停止ボタン６１等の操作ボタンを表示する。再生ボタン６０が押下されると（ステップＳ３０９；Ｙｅｓ）、画像表示部５２は画像表示エリア５６の動画データを再生する（ステップＳ３１０）。
【００７０】
操作者によるマウス操作により、スケール５９の各マーク５９ａ、５９ｂ、５９ｃの位置が変更されると、画像データの動画情報タグ４１ａの情報が更新される。例えば、静止画フレーム位置を示すマーク５９ｃが移動された場合は（ステップＳ３１１）、移動後の位置を新たな静止画フレーム位置として更新記憶する（ステップＳ３１２）。
【００７１】
図６の説明に戻る。
ステップＳ２０６の表示処理により、ビューア装置５に患者の画像が表示されている状態で、医師等により画像診断が行われる。画像診断の結果がビューア装置５の入力部から入力されると（ステップＳ２０７）、ビューア装置５の診断結果情報記録部５３は、診断結果情報と診断部位情報を画像データの画像レポートタグ４１ｂに格納する（ステップＳ２０８）。
【００７２】
その後、ビューア装置５は、タグ情報の更新情報をサーバ装置３に送信する（ステップＳ２０９）。サーバ装置３はビューア装置５から送信された更新情報をデータベース４に送信し、登録を要求する（ステップＳ２１０）。データベース４は更新情報に基づいて画像データの付帯情報等を更新記憶する（ステップＳ２１１）。
【００７３】
データベース４に記憶された画像は、撮影装置２で該当患者の撮影を行う際に参照される。画像レポートタグ４１ｂの内容に応じて撮影装置２の撮影モードが切り換えられる。
【００７４】
以上説明したように、第１の実施の形態の医用画像撮影システム１において、撮影装置２はサーバ装置３を介して患者の過去の画像データ４１を取得し、取得した画像データ４１に埋め込まれている診断結果情報（画像レポートタグ４１ｂ）を参照して過去に異常所見があるか否かを判定する。異常所見がある場合は、撮影装置２は撮影モードを動画撮影モードに切り替え可能とする。動画撮影モードにおいて撮影装置２は、撮影中の動画をメモリに記憶し、シャッターが操作されると、シャッタータイミングとその前後の所定期間の動画データをメモリから切り出して、動画データファイルを作成する。また撮影装置２は動画データファイルにシャッタータイミング（静止画フレーム）の位置や動画の開始位置、終了位置等の情報を含む動画情報（動画情報タグ４１ａ）を記録して、データベース４に保存する。ビューア装置５で患者の画像データ４１をデータベース４から読み出して表示させる際は、ビューア装置５は画像データ４１の動画情報タグ４１ａを参照して、動画の静止画フレーム位置をモニタに表示する。またビューア装置５では、動画内の静止画フレーム位置等を示すスケール５９を表示し、静止画フレーム位置の編集や動画の開始・終了位置の編集を可能とする。またビューア装置５は、医師等に入力された所見（診断結果情報）を動画データの画像レポートタグ４１ｂに記録することができる。診断された静止画フレーム位置が変更されている場合には、画像レポートタグ４１ｂの診断結果情報の診断部位情報も更新される。
【００７５】
これにより、過去に異常ありと診断された部位を動画で撮影するため、シャッタータイミングとその前後の画像を記録できる。また、診断のための情報量が増え、画像診断に有効である。
【００７６】
［第２の実施の形態］
次に、図９〜図１０を参照して本発明の第２の実施の形態について説明する。
第１の実施の形態では、撮影装置２は患者の過去の診断結果情報を画像データ４１の画像レポートタグ４１ｂから取得して異常所見の有無を判定し、異常所見がある場合にその部位で撮影モードを動画撮影モードに切り替えることとしたが、第２の実施の形態の医用画像撮影システム１Ａでは、撮影装置２ａが実施する検査の検査管理情報（ＭＷＭ；Modality Worklist Management）をサーバ装置３ａを介してＨＩＳ（Hospital Information System）やＲＩＳ（Radiology
Information System）等の情報システムから取得し、検査管理情報に動画撮影に適した内容の検査が含まれていれば、その検査の撮影モードを動画撮影モードに切り替える。
【００７７】
第２の実施の形態の医用画像撮影システム１Ａの装置構成及び機能構成を図９に示す。
第２の実施の形態の医用画像撮影システム１Ａは、図１に示す第１の実施の形態の装置構成及び機能構成に加え、情報システム８を備える。
【００７８】
情報システム８は、ＨＩＳやＲＩＳ等と呼ばれるコンピュータシステムであり、撮影装置２ａで実施される検査に関する情報（検査の受付、予約、検査計画、検査履歴等に関する情報；以下、検査管理情報８３という）を管理する。情報システム８は、ネットワーク６を介してサーバ装置３ａと通信接続される。
【００７９】
情報システム８は、検査管理情報登録部８１及び記憶部８２を有する。
検査管理情報登録部８１は、検査の受付、予約、検査計画、検査履歴等の入力を受け付け、入力された情報を検査管理情報８３として記憶部８２に記憶する。
記憶部８２は、検査管理情報登録部８１により登録された検査管理情報８３を記憶する。
【００８０】
情報システム８がＤＩＣＯＭ規格に準拠する場合は、検査管理情報８３は、ＤＩＣＯＭのＭＷＭとして格納される。情報システム８は、サーバ装置３ａからの要求に応答して、ＭＷＭを検索し、検索結果を返す。
【００８１】
第２の実施の形態では、撮影装置２ａは情報システム８で管理される検査管理情報８３に基づいて撮影モードの切り替えを行うため、画像データ４２には、画像レポートタグの付加は必ずしも必要ない。
【００８２】
第２の実施の形態の撮影装置２ａは、撮影部２１、データ取得部２２ａ、撮影モード切替部２３ａ、及び画像登録部２４を有する。
データ取得部２２ａは、患者の過去の診断結果情報に代えて、当該撮影装置２ａにおける検査管理情報（ＭＷＭ）８３をサーバ装置３ａから取得する。また、撮影モード切替部２３ａは、取得した検査管理情報８３に含まれる検査の種別の情報を抽出し、検査の種別に基づいて動画撮影に有効な検査であるか否かを判定し、動画撮影に有効な検査である場合には動画撮影に切り替え可能とする。
【００８３】
動画撮影に有効な検査とは、例えば、嚥下等、臓器の動きを観察する検査等である。撮影装置２ａは動画撮影が有効な検査のリスト（動画撮影リスト）を記憶部（不図示）に保持しており、サーバ装置３ａから取得した検査管理情報８３に、動画撮影リストに一致するデータが含まれているか否かを判定することにより、動画撮影に適した検査であるか否かを判定する。
【００８４】
撮影部２１及び画像登録部２４については、第１の実施の形態と同様であるので、説明を省略する。
【００８５】
サーバ装置３ａは、第１の実施の形態と同様の画像登録・読出部３１に加え、検査管理情報読出部３２を有する。
検査管理情報読出部３２は、撮影装置２ａからの検査管理情報の取得要求を受信すると、情報システム８に対して要求元の撮影装置２ａの検査管理情報８３の取得要求を送信する。情報システム８から検査管理情報８３の検索結果（ＭＷＭ）の応答を得ると、検査管理情報読出部３２は、要求元の撮影装置２ａに検査管理情報８３を送信する。
【００８６】
ビューア装置５及びデータベース４の構成及び動作は第１の実施の形態と同様である。
以下の説明では、第１の実施の形態において説明した各構成要素と同一のものには同一の符号を付し、重複する説明を省略する。第２の実施の形態では、画像データに画像レポートタグ４１ｂを設ける必要がないため、画像データの符号を第１の実施の形態とは異なる符号（４２）とする。
【００８７】
図１０を参照して、第２の実施の形態の医用画像撮影システム１Ａにおける撮影処理の流れを説明する。
【００８８】
第２の実施の形態の医用画像表示システム１Ａにおいて、撮影装置２ａのデータ取得部２２ａは、まず検査管理情報（ＭＷＭ）８３をサーバ装置３ａに問い合わせる（ステップＳ４０１）。検査管理情報（ＭＷＭ）８３とは、撮影装置２ａが実施する検査の種別や検査内容を含む情報である。サーバ装置３ａは情報システム８に対して問い合わせのあった撮影装置２ａの検査管理情報（ＭＷＭ）８３の送信を要求する（ステップＳ４０２）。情報システム８は、サーバ装置３ａからの要求に応答して検査管理情報（ＭＷＭ）８３を読出し、サーバ装置３ａへ送信する（ステップＳ４０３）。サーバ装置３ａは、情報システム８から送信された検査管理情報（ＭＷＭ）８３を受信し、要求元の撮影装置２ａへ送信する（ステップＳ４０４）。撮影装置２ａは、当該撮影装置２ａの検査管理情報（ＭＷＭ）８３を受信する（ステップＳ４０５）。
【００８９】
情報システム８から送信された検査管理情報（ＭＷＭ）８３には、検査の部位や種別（例えば、「嚥下」）の情報が含まれている。撮影装置２ａのデータ取得部２２ａは、ステップＳ４０５で受信した検査管理情報（ＭＷＭ）８３から検査の種別を読み込み（ステップＳ４０６）、動画撮影に適した検査であるか否かを判定する（ステップＳ４０７）。ステップＳ４０５で受信した検査管理情報（ＭＷＭ）８３に複数の検査が含まれる場合は、各検査管理情報（ＭＷＭ）８３について動画撮影に適した検査であるか否かを判定する。動画撮影に適した検査であるか否かの判定は、撮影装置２ａの記憶部に予め記憶されている動画撮影リストを参照することにより行えばよい。
【００９０】
ステップＳ４０７の判定において、動画撮影に有効な検査ではないと判定した場合は（ステップＳ４０８；Ｎｏ）、撮影装置２ａの撮影モード切替部２３ａ（制御部）は、撮影モードを静止画撮影モードに設定する（ステップＳ４０８）。静止画撮影モードでは、撮影部２１に設けられているシャッターボタン等を操作者が操作することによりシャッタータイミングの静止画を記録する。撮影された画像データ４２には、患者ＩＤ、検査ＩＤ、モダリティＩＤ等の各種属性情報が付加される。撮影装置２の画像登録部２４は、画像データ４２をサーバ装置３ａに送信する（ステップＳ４０９）。サーバ装置３ａは撮影装置２ａから送信された画像データ４２をデータベース４に送信し、登録を要求する（ステップＳ４１０）。データベース４は画像データ４２を記憶する（ステップＳ４１１）。
【００９１】
ステップＳ４０７の判定において、動画撮影に適した検査であると判定された場合には（ステップＳ４０７；Ｙｅｓ）、撮影装置２ａの撮影モード切替部２３ａは、撮影モードを動画撮影モード（Ｘ線透視撮影装置であれば透視撮影モード）に設定する（ステップＳ４１２）。ステップＳ４１２では、撮影装置２ａは、撮影設定画面に検査の一覧を表示し、動画撮影に適した検査がマウス等で指示された場合に、「動画撮影モード」への切り替えを促すメッセージを表示するとともに、動画モードボタン及び静止画モードボタンを表示し、モード選択が可能な状態となるようにしてもよい。操作者のマウス操作等により動画モードボタン及び静止画モードボタンのいずれかが選択されると、撮影装置２ａの撮影モード切替部２３ａは選択された撮影モードに切り替える。
【００９２】
動画撮影モードにおいて、撮影部２１は撮影中の画像を撮影装置２ａのメモリに保存する（ステップＳ４１３）。そして、撮影部２１に設けられているシャッターボタンが操作者により操作されると（ステップＳ４１４）、撮影部２１は、シャッタータイミングに該当するフレーム位置とその前後の所定時間（数秒間）分のフレームをメモリから切り出し、動画データファイルを生成する（ステップＳ４１５）。更に、撮影部２１は、静止画フレーム位置（シャッタータイミングに該当するフレーム）と、切り出した動画の開始位置及び終了位置を画像データ４２の動画情報タグ４２ａとして埋め込む（ステップＳ４１６）。この動画の画像データ４２にも、患者ＩＤ、検査ＩＤ、モダリティＩＤ等の各種属性情報が付加される。
【００９３】
撮影装置２ａの画像登録部２４は、生成された動画データファイル（動画情報タグ４２ａを含む）をサーバ装置３ａに送信する（ステップＳ４０９）。サーバ装置３ａは撮影装置４から送信された動画データファイル（画像データ４２）をデータベース４に送信し、登録を要求する（ステップＳ４１０）。データベース４は動画データを記憶する（ステップＳ４１１）。
【００９４】
ビューア装置５における表示処理は、第１の実施の形態の処理手順と同様である（図６〜図８参照）。ただし、例えば「嚥下」等のように動画での読影が有効な検査については、初期表示で動画再生することが望ましい。
【００９５】
また、ビューア装置５における診断結果情報の記録先は、第１の実施の形態のように画像データ４２のプライベートタグ（画像レポートタグ４２ｂ）とする必要はない。例えば、診断結果情報をサーバ装置３ａへ送信し、ネットワーク６を介して接続されたレポート装置（図１１参照）やデータベース４に登録するようにしてもよい。レポート装置等への診断結果情報の登録については、第３の実施の形態で詳述する。
【００９６】
以上説明したように、第２の実施の形態の医用画像撮影システム１Ａにおいて、撮影装置２ａはサーバ装置３ａを介して当該撮影装置２ａの検査管理情報８３を取得し、取得した検査管理情報８３から検査の種別や部位等に基づいて動画撮影が適した検査であるか否かを判定する。動画撮影に適した検査では、撮影装置２ａは撮影モードを動画撮影モードに切り替え可能とする。
【００９７】
これにより、検査の種類等が動画撮影に適した検査である場合には、操作者が留意しなくても動画撮影モードとなるように設定されたり、動画撮影モードへの切り替えを促すアラートが表示されるため、適切な撮影設定を容易に行えるようになる。
【００９８】
［第３の実施の形態］
次に、図１１〜図１３を参照して本発明の第３の実施の形態について説明する。
第３の実施の形態の医用画像撮影システム１Ｂでは、撮影装置２ｂは患者の過去の診断結果情報をレポート装置９のレポート情報９３から取得する。そして、レポート装置９から取得したレポート情報９３から異常所見の有無を判定し、異常所見がある場合にその部位で撮影モードを動画撮影モードに切り替え可能とする。
【００９９】
第３の実施の形態の医用画像撮影システム１Ｂの装置構成及び機能構成を図１１に示す。
第３の実施の形態の医用画像撮影システム１Ｂは、図１に示す第１の実施の形態の装置構成及び機能構成に加え、レポート装置９を備える。
【０１００】
レポート装置９は、画像診断の診断結果情報（読影レポート等のレポート情報９３）を管理するサーバ装置である。例えば、ビューア装置５にて記録された診断結果情報を取得し、記憶したり、ビューア装置５やサーバ装置３ｂ（ＰＡＣＳのサーバ装置）等の連携する各システムからの検索／要求（ＤＩＣＯＭ  Ｑ／Ｒ）等に応答して特定のレポート情報を読み出し、送信する。
レポート装置９は、ネットワーク６を介してサーバ装置３、ビューア装置５、撮影装置２、及びデータベース４と通信接続される。
【０１０１】
レポート装置９は、レポート情報登録部９１及び記憶部９２を有する。
レポート情報登録部９１は、ビューア装置５の診断結果情報記録部５３にて入力され、送信された画像診断の診断結果情報（読影レポート等）を取得し、レポート情報９３としてレポート装置９の記憶部９２に記憶する。レポート情報９３には、読影された画像の画像ＩＤや、所見、診断部位等の他、患者情報、検査の日時、種別、内容等を示す情報、モダリティ情報等が含まれる。
記憶部９２は、レポート情報登録部９１により登録されたレポート情報９３を記憶する。なお、レポート情報登録部９１は、レポート情報９３をサーバ装置３ｂを介してデータベース４に送信し、データベース４に保存するようにしてもよい。
【０１０２】
レポート装置９がＤＩＣＯＭ規格に準拠する場合は、レポート情報９３は、ＤＩＣＯＭ  Ｑ／Ｒに対応した形式で登録される。レポート装置９は、サーバ装置３ｂからのＤＩＣＯＭ  Ｑ／Ｒに応答して特定のレポート情報を記憶部９２から検索し、検索結果を返す。
【０１０３】
第３の実施の形態では、撮影装置２はレポート装置９で管理されるレポート情報９３に基づいて撮影モードの切り替えを行うため、画像データ４２には、画像レポートタグ４１ｂの付加は必ずしも必要ない。
【０１０４】
第３の実施の形態の撮影装置２ｂは、撮影部２１、データ取得部２２ｂ、撮影モード切替部２３ｂ、及び画像登録部２４を有する。
データ取得部２２ｂは、患者の過去の診断結果情報として、レポート装置９のレポート情報９３（またはデータベース４に記憶されるレポート情報９３）を取得する。また、撮影モード切替部２３ｂは、取得したレポート情報９３の所見情報及び診断部位情報に基づいて、過去の所見に異常が有るか否かを判定し、異常所見がある部位はその部位の撮影を行う際に、撮影モードを動画撮影モードに切り替える。
【０１０５】
撮影部２１及び画像登録部２４については、第１の実施の形態と同様であるので、説明を省略する。
【０１０６】
サーバ装置３ｂは、第１の実施の形態と同様の画像登録・読出部３１に加え、レポート情報読出部３３を有する。
レポート情報読出部３３は、撮影装置２ｂから送信される患者の過去の診断結果情報の取得要求に応答して、レポート装置９に患者の過去の診断結果情報（レポート情報９３）の検索要求を送信する。レポート装置９から検索結果のレポート情報９３を得ると、レポート情報読出部３３は、要求元の撮影装置２ｂにレポート情報９３を送信する。なお、データベース４にレポート情報を保存する構成とする場合は、レポート情報読出部３３はデータベース４からレポート情報９３を検索し、取得してもよい。
【０１０７】
データベース４は、画像データ４２及びレポート情報９３を永続的に記憶する。第３の実施の形態では、データベース４に記憶される画像データ４２は、画像レポートタグ４１ｂを必ずしも付加する必要はない。撮影装置２ｂが参照する患者の過去の診断結果情報は、レポート情報９３から取得するからである。
【０１０８】
画像データ４２が動画である場合には、第１の実施の形態と同様に、動画情報タグ４２ａが付加される。また、患者の識別情報（患者ＩＤ）や、当該医用画像を撮影した撮影装置２の識別情報（モダリティＩＤ）、検査の識別情報（検査ＩＤ）、画像の識別情報（画像ＩＤ）、検査日時情報等も画像データ４２の付帯情報として付加される。
【０１０９】
ビューア装置５は、画像取得部５１、画像表示部５２、診断結果情報記録部５３を有する。診断結果情報記録部５３は、サーバ装置３ｂから取得した医用画像に対する所見及び診断部位情報を含む診断結果情報（レポート情報）を所定の記録先に記録する。第３の実施の形態では、レポート装置９またはデータベース４に上述の診断結果情報を記録する。
画像取得部５１及び画像表示部５２は第１の実施の形態と同様である。
【０１１０】
図１２を参照して、第３の実施の形態の医用画像撮影システム１Ｂにおける撮影処理の流れを説明する。
【０１１１】
図１２に示すように、まず、撮影装置２ｂは撮影対象患者の画像データやレポート情報９３の検索、要求（ＤＩＣＯＭ  Ｑ／Ｒ）をサーバ装置３ｂに送信する（ステップＳ５０１）。サーバ装置３ｂはデータベース４に対して問い合わせのあった画像データ４２やレポート情報９３の検索を要求する（ステップＳ５０２）。データベース４は、サーバ装置３ｂからの要求に応答して画像データ４２及びレポート情報９３を読出し、サーバ装置３ｂへ送信する（ステップＳ５０３）。サーバ装置３ｂは、データベース４から送信された画像データ４２及びレポート情報９３を受信し、要求元の撮影装置２ｂへ送信する（ステップＳ５０４）。撮影装置２ｂは、撮影対象の患者の過去の画像データ４２及びレポート情報９３を受信する（ステップＳ５０５）。
【０１１２】
撮影装置２ｂのデータ取得部２２ｂは、ステップＳ５０５で受信したレポート情報９３から所見及び診断部位情報を読み込む（ステップＳ５０６）。
【０１１３】
撮影装置２ｂのデータ取得部２２ｂは、ステップＳ５０６で読み込んだ所見及び診断部位情報から、異常所見があるか否かを判定する（ステップＳ５０７）。異常所見とは「要観察」、「病変候補」等といった所見である。
【０１１４】
ステップＳ５０７の判定において、異常所見が見つからなかった場合は（ステップＳ５０７；Ｎｏ）、撮影装置２ｂの撮影モード切替部２３は、第１の実施の形態の撮影処理（図３）のステップＳ１０８〜ステップＳ１１１と同様に、撮影装置２ｂの撮影モードを静止画撮影モードに設定する（ステップＳ５０８）。撮影装置２ｂの画像登録部２４は、シャッターボタン等の操作により撮影された画像データ（静止画）をサーバ装置３ｂに送信する（ステップＳ５０９）。サーバ装置３ｂは撮影装置２ｂから送信された画像データ４２をデータベース４に送信し、登録を要求する（ステップＳ５１０）。データベース４は画像データ４２を記憶する（ステップＳ５１１）。
【０１１５】
ステップＳ５０７の判定において、異常所見が見つかった場合は（ステップＳ５０７；Ｙｅｓ）、撮影装置２ｂの撮影モード切替部２３は、「異常所見あり」といった警告メッセージを撮影装置２ｂの表示部に表示する（ステップＳ５１２；図４参照）。また、撮影装置２ｂの撮影モード切替部２３は、撮影モードを動画撮影モード（Ｘ線透視撮影装置であれば透視撮影モード）に設定する（ステップＳ５１３）。切り替え動作は、第１の実施の形態と同様である。
【０１１６】
動画撮影モードにおける動作は第１の実施の形態の撮影処理（図３）のステップＳ１１４〜ステップＳ１１７と同様である。すなわち、撮影部２１は撮影中の画像を撮影装置２ｂのメモリに保存し（ステップＳ５１４）、シャッターボタンの操作により（ステップＳ５１５）、シャッタータイミングに該当するフレーム位置とその前後の所定時間（数秒間）分のフレームをメモリから切り出し、動画データファイルを生成する（ステップＳ５１６）。更に、撮影部２１は、動画データの静止画フレーム位置（シャッタータイミングに該当するフレーム）と、切り出した動画の開始位置及び終了位置を画像データ４２の動画情報タグ４２ａとして埋め込む（ステップＳ５１７）。
【０１１７】
撮影装置２ｂの画像登録部２４は、生成された動画データファイル（動画情報タグを含む）をサーバ装置３ｂに送信する（ステップＳ５０９）。サーバ装置３ｂは撮影装置２ｂから送信された動画データ（画像データ４２）をデータベース４に送信し、登録を要求する（ステップＳ５１０）。データベース４は動画データ（画像データ４２）を記憶する（ステップＳ５１１）。
【０１１８】
次に、図１３を参照して、ビューア装置５における表示処理について説明する。第３の実施の形態のビューア装置５における表示処理は、第１の実施の形態の処理手順と同様である（図６〜図８参照）。ただし、ビューア装置５における診断結果情報の記録先をレポート装置９及びデータベース４とする点で、第１の実施の形態と異なる（ステップＳ６０８）。
【０１１９】
以上説明したように、第３の実施の形態の医用画像撮影システム１Ｂにおいて、撮影装置２ｂはレポート装置９で管理されるレポート情報９３をサーバ装置３ｂを介して取得し、取得したレポート情報から所見及び診断部位情報を抽出し、異常所見がある部位については動画撮影モードへ切り替え可能とする。
【０１２０】
これにより、過去に異常ありと診断された部位を動画で撮影できるため、操作者がシャッタータイミングを逃しても、その前後のフレームを後から静止画位置に変更できる。また、動画であるため、診断のための情報量が増え、画像診断が可能となる。
【０１２１】
以上、添付図面を参照しながら、本発明の好適な実施形態について説明したが、本発明はかかる例に限定されない。例えば、画面の表示内容や操作の方法等は一例であり、各種の変更例を含むものとする。その他、当業者であれば、本願で開示した技術的思想の範疇内において、各種の変更例又は修正例に想到し得ることは明らかであり、それらについても当然に本発明の技術的範囲に属するものと了解される。
【符号の説明】
【０１２２】
１、１Ａ、１Ｂ・・・・・・医用画像撮影システム
２・・・・・・・・・・・・撮影装置
２１・・・・・・・・・・・撮影部
２２、２２ａ、２２ｂ・・・データ取得部
２３、２３ａ、２３ｂ・・・撮影モード切替部
２４・・・・・・・・・・・画像登録部
３・・・・・・・・・・・・サーバ装置
３１・・・・・・・・・・・画像登録・読出部
３２・・・・・・・・・・・検査管理情報読出部
３３・・・・・・・・・・・レポート情報読出部
４・・・・・・・・・・・・データベース
５・・・・・・・・・・・・ビューア装置
５１・・・・・・・・・・・画像取得部部
５２・・・・・・・・・・・画像表示部
５３・・・・・・・・・・・診断結果記録部
６・・・・・・・・・・・・ネットワーク
７１・・・・・・・・・・・撮影者選択画面
７４・・・・・・・・・・・撮影設定画面
８・・・・・・・・・・・・情報システム（放射線情報システム等）
８１・・・・・・・・・・・検査管理情報登録部
９・・・・・・・・・・・・レポート装置
９１・・・・・・・・・・・レポート情報登録部
【図１】
2014233358.tif 000003
【図２】
2014233358.tif 000004
【図３】
2014233358.tif 000005
【図４】
2014233358.tif 000006
【図５】
2014233358.tif 000007
【図６】
2014233358.tif 000008
【図７】
2014233358.tif 000009
【図８】
2014233358.tif 000010
【図９】
2014233358.tif 000011
【図１０】
2014233358.tif 000012
【図１１】
2014233358.tif 000013
【図１２】
2014233358.tif 000014
【図１３】
2014233358.tif 000015